(57)【特許請求の範囲】
【請求項１】
原稿を給紙する給紙手段と、
縮小光学系イメージセンサを有し、前記給紙手段によって給紙された前記原稿の一方の面を読み取る第１読取手段と、
密着光学系イメージセンサを有し、前記原稿の他方の面を読み取る第２読取手段と、
前記第１読取手段による前記原稿の一方の面の読み取りが終わった後、前記第１読取手段が前記原稿の他方の面を読み取り可能なように前記原稿を反転して給紙する反転手段と、
前記第１読取手段が前記原稿の一方の面を読み取り、前記反転手段による前記原稿の反転後に前記第１読取手段が前記原稿の他方の面を読み取る両面反転読取モードと、前記第１読取手段が前記原稿の一方の面を読み取り、前記第２読取手段が前記原稿の他方の面を読み取る両面同時読取モードの何れか一方を設定するモード設定手段と、
前記第１読取手段及び前記第２読取手段によって読み取られた原稿が白黒原稿かカラー原稿かを判別する判別手段と、
外部からの操作入力を受け付ける入力手段と、
を備え、前記入力手段は前記両面反転読取モード又は前記両面同時読取モードの何れか一方の選択入力の受付、及び、前記判別手段による前記判別を行うか否かの選択入力の受付を行うものであり、
前記モード設定手段は前記入力手段による選択入力の受付に基づいて前記両面反転読取モード又は前記両面同時読取モードの何れか一方を設定するものであり、
前記判別手段は前記入力手段による選択入力の受付に基づいて前記判別を行うものであり、
前記入力手段が前記両面反転読取モードの選択入力を受け付けたとき、前記判別手段に前記判別を中止させ、前記入力手段に前記判別手段による前記判別を行うか否かの選択入力の受付を禁止させる制御を行う制御手段を更に備えることを特徴とする画像読取装置。
【請求項２】
前記入力手段は、操作者に対して所定の操作画面を表示する表示手段と、前記表示手段と一体的に形成されたタッチパネルと、前記タッチパネルへタッチ入力された際のタッチ位置を検出する位置検出手段を有し、
前記両面反転読取モード又は前記両面同時読取モードを選択するためのボタン、及び、前記判別手段による前記判別を行うか否かを選択するためのボタンを前記表示手段に表示させる表示制御手段を更に備え、
前記制御手段は前記位置検出手段によって検出されたタッチ位置に基づいて前記両面反転読取モードを選択するためのボタンが選択されたか否かを判断し、該判断結果に応じて前記制御を行うことを特徴とする請求項１に記載の画像読取装置。
【請求項３】
前記入力手段が前記両面反転読取モードの選択入力を受け付けたとき、前記表示制御手段は、前記判別手段による前記判別を行うか否かを選択するためのボタンを表示しない、又は、操作不可を示す表示に切り換える制御を行うことを特徴とする請求項２に記載の画像読取装置。
【請求項４】
前記入力手段は、前記判別手段による前記判別を行うか否かの選択入力の受け付けるハードキーを有するものであることを特徴とする請求項１に記載の画像読取装置。
【請求項５】
原稿を給紙する給紙手段と、
縮小光学系イメージセンサを有し、前記給紙手段によって給紙された前記原稿の一方の面を読み取る第１読取手段と、
密着光学系イメージセンサを有し、前記原稿の他方の面を読み取る第２読取手段と、
前記第１読取手段による前記原稿の一方の面の読み取りが終わった後、前記第１読取手段が前記原稿の他方の面を読み取り可能なように前記原稿を反転して給紙する反転手段と、
前記第１読取手段が前記原稿の一方の面を読み取り、前記反転手段による前記原稿の反転後に前記第１読取手段が前記原稿の他方の面を読み取る両面反転読取モードと、前記第１読取手段が前記原稿の一方の面を読み取り、前記第２読取手段が前記原稿の他方の面を読み取る両面同時読取モードの何れか一方を選択するモード設定手段と、
前記第１読取手段及び前記第２読取手段によって読み取られた原稿が白黒原稿かカラー原稿かを判別する判別手段と、
前記第１読取手段及び前記第２読取手段によって得られた画像データに基づいて白黒画像又はフルカラー画像を記録媒体に形成する画像形成手段と、
外部からの操作入力を受け付ける入力手段と、
を備え、前記入力手段は前記両面反転読取モード又は前記両面同時読取モードの何れか一方の選択入力の受付、前記判別手段による前記判別を行うか否かの選択入力の受付、及び前記画像形成手段によって形成される画像を白黒画像にするか又はフルカラー画像にするかの選択入力の受付を行うものであり、
前記モード設定手段は前記入力手段による選択入力の受付に基づいて前記両面反転読取モード又は前記両面同時読取モードの何れか一方に設定するものであり、
前記判別手段は前記入力手段による選択入力の受付に基づいて前記判別を行うものであり、
前記画像形成手段は前記入力手段による選択入力の受付に基づいて白黒画像又はフルカラー画像を形成するものであり、
前記入力手段が前記両面反転読取モードの選択入力を受け付けたとき、前記判別手段に前記判別を中止させ、前記入力手段に前記判別手段による前記判別を行うか否かの選択入力及び前記形成される画像を白黒画像に設定するための選択入力の受付を禁止させ、前記画像形成手段に前記画像データに基づいてフルカラー画像を形成させる制御を行う制御手段を更に備えることを特徴とする画像形成装置。
【請求項６】
前記入力手段は、操作者に対して所定の操作画面を表示する表示手段と、前記表示手段と一体的に形成されたタッチパネルと、前記タッチパネルへタッチ入力された際のタッチ位置を検出する位置検出手段を有し、
前記両面反転読取モード又は前記両面同時読取モードを選択するためのボタン、前記判別手段による前記判別を行うか否かを選択するためのボタン、及び前記画像形成手段によって形成される画像を白黒画像にするか又はフルカラー画像にするかを選択するためのボタンを前記表示手段に表示させる表示制御手段を更に備え、
前記制御手段は前記位置検出手段によって検出されたタッチ位置に基づいて前記両面反転読取モードを選択するためのボタンが選択されたか否かを判断し、該判断結果に応じて前記制御を行うことを特徴とする請求項５に記載の画像形成装置。
【請求項７】
前記入力手段が前記両面反転読取モードの選択入力を受け付けたとき、前記表示制御手段は、前記判別手段による前記判別を行うか否かを選択するためのボタン、及び前記画像形成手段によって形成される画像を白黒画像にするか又はフルカラー画像にするかを選択するためのボタンを表示しない又は操作不可を示す表示に切り換える制御を行うことを特徴とする請求項６に記載の画像形成装置。
【請求項８】
前記入力手段は、前記判別手段による前記判別を行うか否かの選択入力の受付、及び前記画像形成手段によって形成される画像を白黒画像にするか又はフルカラー画像にするかの選択入力の受付を行うハードキーを有するものであることを特徴とする請求項５に記載の画像形成装置。
【発明の詳細な説明】
【技術分野】
【０００１】
本発明は、原稿の両面を読み取ることが可能な画像読取装置、及びこの画像読取装置を備えた画像形成装置に関するものである。
【背景技術】
【０００２】
従来、複写機やファクシミリ等が有するＡＤＦ（Automatic Document Feeder：自動原稿送り機能）を備えた画像読取装置において、画像読取部に原稿の表面及び裏面を自動的に読み取らせる方法として、原稿の表面の画像をイメージセンサが読み取った後、その原稿の表裏を反転させて、裏面の画像を再度イメージセンサが読み取る方法が広く採用されている。しかしこの方法は、イメージセンサが原稿の表面を読み取った後、一旦原稿が外部に排出されて表裏反転され、再度イメージセンサが原稿の裏面を読み取るため、両面の読み取りに時間がかかっていた。
【０００３】
そこで、特許文献１に記載されているように、原稿トレイからの原稿搬送路において原稿の表裏両面側にそれぞれイメージセンサを設けることで、原稿を反転させることなく１回の原稿給紙（ワンパス）で原稿の両面をほぼ同時に読み取る方法が知られている。このように原稿の両面をほぼ同時に読み取る方法を採用した画像読取装置では、原稿の表面の読み取りは縮小光学系イメージセンサが用いられる場合が多く、原稿の裏面の読み取りは、設置スペース、コスト等の関係上、密着光学系イメージセンサが用いられる場合が多い。しかし、原稿の表裏面を読み取るイメージセンサの光学的構成が異なると、印刷用紙の表裏面に形成された画像の画質に差が生じてしまう。
【０００４】
従って、以上のような画像読取装置においては、ユーザが原稿の両面の読取方法を選択できるようになっている。つまり、原稿の表裏面を別々に読み取るため画像の読み取りには時間がかかるが、用紙の表裏面の画質を同一にするために同じイメージセンサ（縮小光学系イメージセンサ）で原稿の表裏面を読み取らせるモードと、画像の読取時間の短縮化を優先させるために原稿の表裏面を縮小光学系と密着光学系の２つのイメージセンサを用いてほぼ同時に読み取らせるモードの２つのモードを設けて、ユーザがモードを選択できるようになっている。
【０００５】
更に、このような画像読取装置に搭載されている機能として、ＡＣＳ（Auto Color Selection：自動カラー選択機能）が広く知られている。ＡＣＳは読み取った原稿の画像が白黒原稿かカラー原稿かを自動的に判別する機能である。そしてＡＣＳを搭載している画像読取装置を備える画像形成装置も広く採用されており、このような画像形成装置では、ＡＣＳの判別結果を受けて白黒印刷又はカラー印刷が自動的に行われる。
【特許文献１】特開２００７−８２０３３号公報
【発明の開示】
【発明が解決しようとする課題】
【０００６】
このように、昨今の画像読取装置及び画像形成装置はユーザの要望に応えるために多くの機能を備えたものが多い。しかしこのような多機能化によってユーザは所望の原稿読み取り又は印刷を行うためにどのような操作をすればよいか困惑してしまい、読み取り失敗、印刷失敗を招いていた。つまり、ユーザの要望に応えるために搭載させた多くの機能が、時にはユーザの手間と労力を増やす原因にもなっていた。
【０００７】
本発明は、上記の問題を解決するためになされたもので、ユーザの誤操作を防ぎ、所望の読み取り・印刷処理を簡単に行える画像読取装置及び画像形成装置を提供することを目的とするものである。
【課題を解決するための手段】
【０００８】
請求項１に記載の発明における画像読取装置は、原稿を給紙する給紙手段と、縮小光学系イメージセンサを有し、前記給紙手段によって給紙された前記原稿の一方の面を読み取る第１読取手段と、密着光学系イメージセンサを有し、前記原稿の他方の面を読み取る第２読取手段と、前記第１読取手段による前記原稿の一方の面の読み取りが終わった後、前記第１読取手段が前記原稿の他方の面を読み取り可能なように前記原稿を反転して給紙する反転手段と、前記第１読取手段が前記原稿の一方の面を読み取り、前記反転手段による前記原稿の反転後に前記第１読取手段が前記原稿の他方の面を読み取る両面反転読取モードと、前記第１読取手段が前記原稿の一方の面を読み取り、前記第２読取手段が前記原稿の他方の面を読み取る両面同時読取モードの何れか一方を設定するモード設定手段と、前記第１読取手段及び前記第２読取手段によって読み取られた原稿が白黒原稿かカラー原稿かを判別する判別手段と、外部からの操作入力を受け付ける入力手段と、を備え、前記入力手段は前記両面反転読取モード又は前記両面同時読取モードの何れか一方の選択入力の受付、及び、前記判別手段による前記判別を行うか否かの選択入力の受付を行うものであり、前記モード設定手段は前記入力手段による選択入力の受付に基づいて前記両面反転読取モード又は前記両面同時読取モードの何れか一方を設定するものであり、前記判別手段は前記入力手段による選択入力の受付に基づいて前記判別を行うものであり、前記入力手段が前記両面反転読取モードの選択入力を受け付けたとき、前記判別手段に前記判別を中止させ、前記入力手段に前記判別手段による前記判別を行うか否かの選択入力の受付を禁止させる制御を行う制御手段を更に備えることを特徴としている。
【０００９】
両面反転読取モードは原稿両面の読み取りを同じイメージセンサ（縮小光学系イメージセンサ）にて行わせ、両面同時読取モードは原稿の一方の面は縮小光学系イメージセンサ、他方の面は密着光学系イメージセンサにて読み取りを行わせる。従って、両面同時読取モードの場合、表面・裏面が異なるイメージセンサで読み取られるため、それぞれのイメージセンサが取得した画像の画質に差が生じてしまう。
【００１０】
つまり、両面反転読取モードが設定された場合、ユーザは原稿の両面の画像の読み取りに画質の差が出ないことを望んでいる可能性が高く、画質重視の処理を望んでいることが多い。従って原稿がカラー原稿である可能性が高い。このため、両面反転読取モードが設定された場合、判別手段による原稿の白黒／カラー判別を自動的に中止することにより、判別手段による白黒／カラー判別処理の手間をなくすことができると同時に、万が一発生し得る白黒原稿とカラー原稿の誤判別を防ぐことができる。そして、判別手段による判別を行うか否かの選択入力を禁止することにより、操作入力の煩雑さを解消し、ユーザの操作ミス、原稿の読み取り失敗を防ぐことができる。
【００１１】
また、請求項２に記載の発明は、請求項１に記載の画像読取装置であって、前記入力手段は、操作者に対して所定の操作画面を表示する表示手段と、前記表示手段と一体的に形成されたタッチパネルと、前記タッチパネルへタッチ入力された際のタッチ位置を検出する位置検出手段を有し、前記両面反転読取モード又は前記両面同時読取モードを選択するためのボタン、及び、前記判別手段による前記判別を行うか否かを選択するためのボタンを前記表示手段に表示させる表示制御手段を更に備え、前記制御手段は前記位置検出手段によって検出されたタッチ位置に基づいて前記両面反転読取モードを選択するためのボタンが選択されたか否かを判断し、該判断結果に応じて前記制御を行うことを特徴としている。
【００１２】
また、請求項３に記載の発明は、請求項２に記載の画像読取装置であって、前記入力手段が前記両面反転読取モードの選択入力を受け付けたとき、前記表示制御手段は、前記判別手段による前記判別を行うか否かを選択するためのボタンを表示しない、又は、操作不可を示す表示に切り換える制御を行うことを特徴としている。
【００１３】
これらの構成によれば、入力手段として表示手段とこの表示手段と一体的に構成されているタッチパネルとを用いることにより、ユーザに各操作ボタンを分かりやすく表示させることができる。更に、両面反転読取モードが選択された場合、判別手段による白黒／カラー判別を行うか否かを選択するためのボタンを非表示又は操作不可を示す表示に切り換えることにより、ユーザはそのボタンの選択ができないことを簡単に視認することができ、操作ミスを防ぐことができる。
【００１４】
また、請求項４に記載の発明は、請求項１に記載の画像読取装置であって、前記入力手段は、前記判別手段による前記判別を行うか否かの選択入力の受け付けるハードキーを有するものであることを特徴としている。
【００１５】
この構成によれば、両面反転読取モードが選択された場合、ハードキーの操作信号を制御部が受け付けないことで、判別を行うか否かの選択入力を禁止にする制御を簡単に行うことができる。
【００１６】
また、請求項５に記載の発明における画像形成装置は、原稿を給紙する給紙手段と、縮小光学系イメージセンサを有し、前記給紙手段によって給紙された前記原稿の一方の面を読み取る第１読取手段と、密着光学系イメージセンサを有し、前記原稿の他方の面を読み取る第２読取手段と、前記第１読取手段による前記原稿の一方の面の読み取りが終わった後、前記第１読取手段が前記原稿の他方の面を読み取り可能なように前記原稿を反転して給紙する反転手段と、前記第１読取手段が前記原稿の一方の面を読み取り、前記反転手段による前記原稿の反転後に前記第１読取手段が前記原稿の他方の面を読み取る両面反転読取モードと、前記第１読取手段が前記原稿の一方の面を読み取り、前記第２読取手段が前記原稿の他方の面を読み取る両面同時読取モードの何れか一方を選択するモード設定手段と、前記第１読取手段及び前記第２読取手段によって読み取られた原稿が白黒原稿かカラー原稿かを判別する判別手段と、前記第１読取手段及び前記第２読取手段によって得られた画像データに基づいて白黒画像又はフルカラー画像を記録媒体に形成する画像形成手段と、外部からの操作入力を受け付ける入力手段と、を備え、前記入力手段は前記両面反転読取モード又は前記両面同時読取モードの何れか一方の選択入力の受付、前記判別手段による前記判別を行うか否かの選択入力の受付、及び前記画像形成手段によって形成される画像を白黒画像にするか又はフルカラー画像にするかの選択入力の受付を行うものであり、前記モード設定手段は前記入力手段による選択入力の受付に基づいて前記両面反転読取モード又は前記両面同時読取モードの何れか一方に設定するものであり、前記判別手段は前記入力手段による選択入力の受付に基づいて前記判別を行うものであり、前記画像形成手段は前記入力手段による選択入力の受付に基づいて白黒画像又はフルカラー画像を形成するものであり、前記入力手段が前記両面反転読取モードの選択入力を受け付けたとき、前記判別手段に記判別を中止させ、前記入力手段に前記判別手段による前記判別を行うか否かの選択入力及び前記形成される画像を白黒画像に設定するための選択入力の受付を禁止させ、前記画像形成手段に前記画像データに基づいてフルカラー画像を形成させる制御を行う制御手段を更に備えることを特徴としている。
【００１７】
この構成によれば、両面反転読取モードが設定された場合、判別手段による原稿の白黒／カラー判別を自動的に中止することにより、判別手段による白黒／カラー判別処理の手間をなくすことができると同時に、万が一発生し得る白黒原稿とカラー原稿の誤判別を防ぐことができる。そして、判別手段による判別を行うか否かの選択入力を禁止することにより、操作入力の煩雑さを解消し、ユーザの操作ミス、原稿の読み取り失敗を防ぐことができる。そして、両面反転読取モードの場合、原稿はカラー原稿である場合が多い。そこで、入力手段による形成される画像を白黒画像に設定するための選択入力の受付を禁止することにより、ユーザが誤って白黒画像に設定することを防ぎ、印刷失敗を防ぐことができる。また、画像形成手段は画像データに基づいて自動的にフルカラー画像を形成することにより、ユーザは入力手段を用いてわざわざフルカラー画像の選択入力をする必要がなく、少ない操作入力で所望の印刷を行うことができる。
【００１８】
また、請求項６に記載の発明は、請求項５に記載の画像形成装置であって、前記入力手段は、操作者に対して所定の操作画面を表示する表示手段と、前記表示手段と一体的に形成されたタッチパネルと、前記タッチパネルへタッチ入力された際のタッチ位置を検出する位置検出手段を有し、前記両面反転読取モード又は前記両面同時読取モードを選択するためのボタン、前記判別手段による前記判別を行うか否かを選択するためのボタン、及び前記画像形成手段によって形成される画像を白黒画像にするか又はフルカラー画像にするかを選択するためのボタンを前記表示手段に表示させる表示制御手段を更に備え、前記制御手段は前記位置検出手段によって検出されたタッチ位置に基づいて前記両面反転読取モードを選択するためのボタンが選択されたか否かを判断し、該判断結果に応じて前記制御を行うことを特徴とする特徴としている。
【００１９】
また、請求項７に記載の発明は、請求項６に記載の画像形成装置であって、前記入力手段が前記両面反転読取モードの選択入力を受け付けたとき、前記表示制御手段は、前記判別手段による前記判別を行うか否かを選択するためのボタン、及び前記画像形成手段によって形成される画像を白黒画像にするか又はフルカラー画像にするかを選択するためのボタンを表示しない又は操作不可を示す表示に切り換える制御を行うことを特徴としている。
【００２０】
これらの構成によれば、入力手段として表示手段とこの表示手段と一体的に構成されているタッチパネルとを用いることにより、ユーザに各操作ボタンを分かりやすく表示させることができる。更に、両面反転読取モードが選択された場合、判別手段による白黒／カラー判別を行うか否かを選択するためのボタン、及び、前記画像形成手段によって形成される画像を白黒画像にするか又はフルカラー画像にするかを選択するためのボタンを非表示又は操作不可を示す表示に切り換えることにより、ユーザはそのボタンの選択ができないことを簡単に視認することができ、操作ミスを防ぐことができる。
【００２１】
また、請求項８に記載の発明は、請求項５に記載の画像形成装置であって、前記判別手段による前記判別を行うか否かの選択入力の受付、及び前記画像形成手段によって形成される画像を白黒画像にするか又はフルカラー画像にするかの選択入力の受付を行うハードキーを有するものであることを特徴としている。
【００２２】
この構成によれば、両面反転読取モードが選択された場合、ハードキーの操作信号を制御部が受け付けないことで、判別を行うか否かの選択入力を禁止にする制御を簡単に行うことができる。
【発明の効果】
【００２３】
請求項１に記載の発明によれば、両面反転読取モードが設定された場合、判別手段による原稿の白黒／カラー判別を自動的に中止することにより、判別手段による白黒／カラー判別処理の手間をなくすことができると同時に、万が一発生し得る白黒原稿とカラー原稿の誤判別を防ぐことができる。そして、判別手段による判別を行うか否かの選択入力を禁止することにより、操作入力の煩雑さを解消し、ユーザの操作ミス、原稿の読み取り失敗を防ぐことができる。
【００２４】
請求項２及び３に記載の発明によれば、ユーザに各操作ボタンを分かりやすく表示させることができる。更に、両面反転読取モードが選択された場合、判別手段による白黒／カラー判別を行うか否かを選択するためのボタンを非表示又は操作不可を示す表示に切り換えることにより、ユーザはそのボタンの選択ができないことを簡単に視認することができ、操作ミスを防ぐことができる。
【００２５】
請求項４に記載の発明によれば、両面反転読取モードが選択された場合、ハードキーの操作信号を制御部が受け付けないことで、判別を行うか否かの選択入力を禁止にする制御を簡単に行うことができる。
【００２６】
請求項５に記載の発明によれば、両面反転読取モードが設定された場合、判別手段による原稿の白黒／カラー判別を自動的に中止することにより、判別手段による白黒／カラー判別処理の手間をなくすことができると同時に、万が一発生し得る白黒原稿とカラー原稿の誤判別を防ぐことができる。そして、判別手段による判別を行うか否かの選択入力を禁止することにより、操作入力の煩雑さを解消し、ユーザの操作ミス、原稿の読み取り失敗を防ぐことができる。そして、両面反転読取モードの場合、原稿はカラー原稿である場合が多い。そこで、入力手段による形成される画像を白黒画像に設定するための選択入力の受付を禁止することにより、ユーザが誤って白黒画像に設定することを防ぎ、印刷失敗を防ぐことができる。また、画像形成手段は画像データに基づいて自動的にフルカラー画像を形成することにより、ユーザは入力手段を用いてわざわざフルカラー画像の選択入力をする必要がなく、少ない操作入力で所望の印刷を行うことができる。
【００２７】
請求項６及び７に記載の発明によれば、ユーザに各操作ボタンを分かりやすく表示させることができる。更に、両面反転読取モードが選択された場合、判別手段による白黒／カラー判別を行うか否かを選択するためのボタン、及び、前記画像形成手段によって形成される画像を白黒画像にするか又はフルカラー画像にするかを選択するためのボタンを非表示又は操作不可を示す表示に切り換えることにより、ユーザはそのボタンの選択ができないことを簡単に視認することができ、操作ミスを防ぐことができる。
【００２８】
請求項８に記載の発明によれば、両面反転読取モードが選択された場合、ハードキーの操作信号を制御部が受け付けないことで、判別を行うか否かの選択入力を禁止にする制御を簡単に行うことができる。
【発明を実施するための最良の形態】
【００２９】
以下、本発明の一実施形態に係る画像読取装置及び画像形成装置について図面を参照して説明する。尚、以下の実施形態では、本発明における画像読取装置及び画像形成装置を、コピー、スキャナ、ファクシミリ、プリンタ等の機能を備えた複合機に集約した形態を例に説明する。
【００３０】
〔第１の実施の形態〕
図１は本実施の形態における複合機１の内部構成を模式的に示した縦断面図である。複合機１は大きく分けると画像読取装置２と装置本体３とからなる。画像読取装置２は、原稿給紙部２１とスキャナ部（第１読取手段）２２を備えて構成される。原稿給紙部（給紙手段）２１はＡＤＦ（Auto Document Feeder）を実現するものであり、原稿トレイ２１１、給紙ローラ２１２、搬送ドラム２１３、排紙ローラ２１４及び排紙トレイ２１５を有する。原稿トレイ２１１は原稿が載置される場所であり、原稿トレイ２１１に載置された原稿は１枚ずつ給紙ローラ２１２によって取り込まれて搬送ドラム２１３へ搬送される。搬送ドラム２１３を経由した原稿は排紙ローラ２１４によって排紙トレイ２１５へ排出される。
【００３１】
スキャナ部２２は、原稿の画像を光学的に取得して画像データを生成するものであり、プラテンガラス２２１、光源２２２、第１ミラー２２３、第２ミラー２２４、第３ミラー２２５、第１キャリッジ２２６、第２キャリッジ２２７、結像レンズ２２８、ＣＣＤ（Charge Coupled Device）２２９を有する。また、本実施の形態では、第１読取手段が有する縮小光学系イメージセンサとしてＣＣＤ２２９を用いたものを例に説明するが、ＣＣＤ以外にＣＭＯＳ（Complementary Metal Oxide Semiconductor）イメージセンサを用いたものであってもよい。
【００３２】
プラテンガラス２２１は原稿を載置する場所であり、光源２２２及び第１ミラー２２３は第１キャリッジ２２６によって支持され、第２ミラー２２４及び第３ミラー２２５は第２キャリッジ２２７によって支持されている。
【００３３】
ここで、画像読取装置２の原稿読取方法として、プラテンガラス２２１上に載置された原稿をスキャナ部２２が読み取るフラットベッド読取モードと、原稿をＡＤＦによって取り込み、その搬送途中で原稿を読み取るＡＤＦ読取モードがある。フラットベッド読取モードでは、光源２２２がプラテンガラス２２１上に載置された原稿を照射し、主走査方向１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。ＣＣＤ２２９は一次元のイメージセンサであり、１ライン分の原稿の画像を同時に処理する。１ライン分の読み取りが終了すると、主走査方向と直交する方向（副走査方向、矢印Ｙ方向）に第１キャリッジ２２６及び第２キャリッジ２２７が移動され、次のラインの読み取りが行われる。
【００３４】
ＡＤＦ読取モードでは、給紙トレイ２１１に載置された原稿が給紙ローラ２１２によって１枚ずつ取り込まれ、搬送ドラム２１３から排紙トレイ２１５への搬送経路に設けられた読取窓２３０上を原稿が通過するとき、光源２２２が原稿を照射し、主走査１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。続いて原稿は原稿給紙部２１によって搬送され、次のラインが読み取られる。尚、以下の説明において、特に記載のないものについては、ＡＤＦ読取モードによって原稿を自動給紙し、画像の読み取りを行うことを前提に説明を行う。
【００３５】
更に、原稿給紙部２１は切換ガイド２１６、反転ローラ２１７及び反転搬送路２１８からなる原稿反転機構（反転手段）を有する。１回目のＡＤＦ読み取りによって表面（原稿の一方の面）が読み取られた原稿を原稿反転機構を用いて反転させて再搬送することによって、再度ＣＣＤ２２９によって裏面（原稿の他方の面）の読み取りが行わせることができる。この原稿反転機構は、両面読み取り時にのみ動作し、片面読み取り時は動作しない。片面読み取り時及び両面読み取り時において裏面の読み取り後、切換ガイド２１６は上側に切り替えられ、搬送ドラム２１３を経た原稿は排紙ローラ２１４によって排紙トレイ２１５に排紙される。両面読み取り時における表面読み取り後、切換ガイド２１６は下側に切り替えられ、搬送ドラム２１３を経た原稿は反転ローラ２１７のニップ部へ搬送される。その後、切換ガイド２１６は上側へ切り替わって反転ローラ２１７が逆回転し、反転搬送路２１８を介して原稿が搬送ドラム２１３へ再搬送される。以下、原稿反転機構を用いて原稿の両面を読み取らせるモードを両面反転読取モード又は高画質モードと表記する。
【００３６】
更に、本実施の形態の画像読取装置２は、ＡＤＦ読取モード時において、上記で説明したように原稿の搬送途中でＣＣＤ２２９によって原稿の表面の読み取りを行わせると同時に、ＣＩＳ（第２読取手段）２３１によって原稿の裏面の読み取りを行わせることが可能である。つまり、給紙トレイ２１１から給紙された原稿は読取窓２３０上を通過するときにＣＣＤ２２９によって表面が読み取られ、更にＣＩＳ２３１を通過する際に裏面が読み取られる。このようにＣＣＤ２２９とＣＩＳ２３１を用いることでワンパスで原稿の両面の読み取りが可能となる。以下、ＣＣＤ２２９とＣＩＳ２３１を用いて原稿の両面を読み取らせるモードを両面同時読取モード又は高速モードと表記する。
【００３７】
ここで、両面反転読取モード（高画質モード）と両面同時読取モード（高速モード）について説明する。両面反転読取モードでは原稿両面の読み取りが同じイメージセンサ（ＣＣＤ２２９）によって行われるため、読み取った表裏面それぞれの画像の画質に差はない。しかし、両面同時読取モードでは原稿の表面はＣＣＤ２２９、裏面はＣＩＳ２３１という異なるイメージセンサで読み取りが行われるため、それぞれのイメージセンサが取得した画像データに基づいて両面印刷を行うと、両面の印刷画像の画質に差が生じてしまう。特にカラー印刷を行うと、読み取った表裏面それぞれの画像の画質の差が顕著に表れる。原因としては、スキャナ部２２は光源２２２として冷陰極蛍光管等の白色蛍光ランプを用いていることに対し、ＣＩＳ２３１は光源として３色ＬＥＤ等（不図示）を用いている。この光源の違いにより、スキャナ部２２による画像読み取りの方が色再現性に優れていることが知られている。また、これら各光源の分光分布の違いによるものの他に、ＣＣＤ２２９は複数の受光素子がワンチップ上に形成されてイメージセンサとして構成されているのに対し、ＣＩＳ２３１においては複数の固体撮像素子が連結されてイメージセンサとして構成されているため固体撮像素子間に感度のバラつきが生じ、これが画質の差の原因となっていると考えられている。
【００３８】
従って、本実施の形態の複合機１においては、ＡＤＦを用いて原稿の両面読み取りを行う際、ユーザは高画質モード（両面反転読取モード）又は高速モード（両面同時読取モード）の何れかを選択することができる。つまり、両面の印刷画像の画質を揃えたい場合は高画質モード（両面反転読取モード）、両面の印刷画像の画質に差はあっても、読取時間の短縮化を優先させたい場合は高速モード（両面同時読取モード）と、ユーザは状況に応じてモードを選択することができる。
【００３９】
複合機１の構成の説明に戻る。複合機１は、装置本体３と、装置本体３の左方に配設されたスタックトレイ６とを有している。装置本体３は、複数の給紙カセット４６１と、給紙カセット４６１から用紙（記録媒体）を１枚ずつ繰り出して記録部（画像形成手段）４０へ搬送する給紙ローラ４６２と、給紙カセット４６１から搬送されてきた用紙に画像を形成する記録部４０とを備える。
【００４０】
記録部４０は、感光体ドラム４３の表面から残留電荷を除電する除電装置４２１と、除電後の感光体ドラム４３の表面を帯電させる帯電装置４２２と、スキャナ部２２で取得された画像データに基づいてレーザ光を出力して感光体ドラム４３表面を露光し、感光体ドラム４３の表面に静電潜像を形成する露光装置４２３と、上記静電潜像に基づいて感光体ドラム４３上に、シアン（Ｃ）、マゼンタ（Ｍ）、イエロー（Ｙ）及びブラック（Ｋ）の各色のトナー像を形成する現像装置４４Ｃ、４４Ｍ、４４Ｙ、４４Ｋと、感光体ドラム４３に形成された各色のトナー画像が転写されて重ね合わせされる転写ドラム４９と、転写ドラム４９上のトナー像を用紙に転写させる転写装置４１と、トナー像が転写された用紙を加熱してトナー像を用紙に定着させる定着装置４５とを備えている。なお、シアン、マゼンタ、イエロー及びブラックの各色に対するトナーの供給は、不図示のトナー供給容器（トナーカートリッジ）から行われる。また、記録部４０を通過した用紙をスタックトレイ６又は排出トレイ４８まで搬送する搬送ローラ４６３及び４６４等が設けられている。
【００４１】
用紙の両面に画像を形成する場合は、記録部４０によって用紙の一方の面に画像の形成が施された後、この用紙を排出トレイ４８側の搬送ローラ４６３にニップされた状態にする。この状態で搬送ローラ４６３を逆回転させて用紙をスイッチバックさせ、用紙を用紙搬送路Ｌに送って記録部４０の上流域に再度搬送し、記録部４０によって他方の面に画像の形成が施された後、用紙をスタックトレイ６又は排出トレイ４８に排出する。
【００４２】
また、装置本体３の前方には、ユーザが操作画面や各種メッセージ等を視認することができる表示部や、種々の操作命令を入力するための操作ボタンを有する操作部５が備えられている。図２は操作部５の正面図の一例である。この操作部５は、表示部（表示手段）５１、タッチパネル（入力手段、位置検出手段）５２、数字キー群５３、各種操作ボタン５４〜５７、機能選択ボタン５８等を備える。表示部５１は、ＬＣＤ（Liquid Crystal Display）やＥＬＤ（Electronic Luminescent Display）等によって構成され、紙サイズ選択、倍率選択、濃度選択等の選択画面が表示される。表示部５１はタッチパネル５２と一体的に形成されている。タッチパネル５２は、ユーザによるタッチ操作がなされたら、タッチ位置を検出して検出信号を後述する制御部へ出力するものである。
【００４３】
数字キー群５３は、例えば、複合機１のコピー機能動作中はコピー枚数を、ファクシミリ機能動作中は送信先の電話番号等をユーザが入力するためのものである。節電ボタン５４は、複合機１を節電（低電力）モードにするボタンである。スタートボタン５５はコピー動作やスキャナ動作等を開始させるボタンであり、ストップ／クリアボタン５６はコピー動作やスキャナ動作等の停止、入力操作の取り消しを行うボタンである。リセットボタン５７は表示部５１の表示や各種設定を初期状態又は標準動作状態にするボタンである。機能選択ボタン５８は、コピー機能、プリンタ機能、スキャナ機能、ファクシミリ機能を設定するためのボタンである。
【００４４】
図３は、複合機１の電気的構成を示すブロック図である。複合機１は、原稿給紙部２１、スキャナ部２２、ＣＩＳ２３１、操作部５、制御部（モード設定手段、制御手段、表示制御手段）６１、画像処理部６４、記録部４０及び通信部６６を備えて構成される。尚、図１及び図２において説明した構成要素と同じものには同じ符号を付して詳しい説明を省略する。
【００４５】
原稿給紙部２１は、原稿トレイ２１１に載置された原稿を自動的に取り込んで、ＣＣＤ２２９やＣＩＳ２３１による原稿の読み取りが可能なように搬送するものであり、ＡＤＦを実現するものである。スキャナ部２２及びＣＩＳ２３１は、原稿の画像を光学的に取得して画像データを生成するものである。
【００４６】
操作部５は、ユーザがコピー機能、スキャナ機能、ファクシミリ機能及びプリンタ機能等に関する操作入力を受け付けるものである。そして操作入力に応じた操作信号を制御部６１へ出力する。操作部５は、図２に示すタッチパネル５２、数字キー群５３、操作ボタン５４〜５７、機能選択ボタン５８等に相当し、更に操作部５は表示部５１を含む。
【００４７】
制御部６１は、ＣＰＵ等によって構成され、入力された指示信号等に応じて所定のプログラムに基づいた処理を実行し、各機能部への指示信号の出力、データ転送等を行って複合機１を統括的に制御するものである。具体的には、制御部６１は操作部５による選択入力の受付に基づいて、両面反転読取モード又は両面同時読取モードの何れか一方を選択して設定する。その他、制御部６１は操作画面や各種操作ボタン等を表示部６１に表示させる制御を行う。
【００４８】
また、制御部６１はＡＣＳ部（判別手段）６１１を有する。ＡＣＳ部６１１は、スキャナ部２２（以下、ＣＩＳ２３１との違いを明瞭にするため、適宜ＣＣＤ２２９として表記する）及びＣＩＳ２３１によって読み取られた画像が白黒画像であるかカラー画像であるかを判別する。ＡＣＳ部６１１による判別は、例えば以下のようにして行われる。まず、ＡＣＳ部６１１は、ＣＣＤ２２９及びＣＩＳ２３１によって読み取られた画像のデータについて、当該画像データの１画素毎に、それが白黒画素であるかカラー画像であるかを識別する。この識別方法は、画像データのＲ、Ｇ、Ｂ夫々の値や、識別対象画素周辺との彩差（色差）等により、画像データの各画素が白黒であるかカラーであるかを識別する周知の方法であるので詳細説明は省略する。ここで、ＡＣＳ部６１１は、前記識別によりカラーと識別した場合、当該原稿におけるカラー画素数をカウントアップしていく。ＡＣＳ部６１１は、当該カウントしたカラー画素数が予め設定された閾値に達すると、当該読み取られた原稿の画像がカラー画像であると判別する。また、ＡＣＳ部６１１は、上記白黒画素又はカラー画素の判別対象となる残りの画素が全てカラー画素としてカウントしても上記閾値に達しないと判断すると、この時点で、当該読み取られた原稿の画像がモノクロ画像であると判別する。なお、このＡＣＳ判別処理は、あくまでも一例であり、ＡＣＳ部６１１によるＡＣＳ判別を上記処理に限定するものではない。
【００４９】
画像処理部６４は、画像データに関する各種画像処理を行うものである。例えば、画像処理部６４は、スキャナ部２２によって取得された画像データや、外部装置から通信部６６を介して転送された画像データに対して、レベル補正、ガンマ補正等の補正処理、画像データの圧縮又は伸長処理、拡大又は縮小処理などの画像加工処理を行う。
【００５０】
記録部４０は、スキャナ部２２によって得られた画像データや、外部装置から通信部６６を介して転送された画像データに基づいた画像を所定の用紙に白黒又はフルカラーで印刷する。
【００５１】
通信部６６は、ネットワークインターフェースを用い、ネットワークを介して接続されたコンピュータやファクシミリ等の外部装置との間で種々のデータの送受信を行うものである。
【００５２】
図４〜８は、表示部５１の画面例を示したものであり、図９は原稿の両面をＡＤＦで読み取り、印刷する処理の流れを示したフローチャートである。本実施の形態における両面印刷の処理の流れを図４〜９を用いて説明する。
【００５３】
複合機１のコピー機能が選択されているとき、制御部６１は図４に示すような標準画面を表示部５１に表示させると共に、標準画面の正面右側には自動カラーキー１９１、フルカラーキー１９２及び白黒キー１９３を表示させる。本実施の形態の複合機１は、初期設定及び標準動作設定としてＡＣＳ部６１１による原稿の白黒／カラー判別が自動的に行われる設定となっているため、自動カラーキー１９１は選択状態となっている。制御部６１はキーが選択状態となっていることをユーザが視認できるよう、キーの配色を黒地に白文字として表示したり、カラー表示の場合は非選択のキーとは異なる色で表示させたりする。更に制御部６１は、表示部５１の正面上部の領域１２１に、ＡＣＳがオンとなっていることを示す「（自動カラー）」という文字を表示させる。
【００５４】
フルカラーキー１９２及び白黒キー１９３は印刷カラーモードを設定するためのキーであり、フルカラー印刷を行いたい場合はフルカラーキー１９２を、白黒印刷を行いたい場合は白黒キー１９３がユーザによって押下されることにより、各印刷が実現される。
【００５５】
ユーザによって機能リストキー１０１が押下されると、制御部６１は図５に示すような機能リスト画面を表示部５１に表示させる。更にユーザによって両面／分割キー１０２が押下されると、制御部６１は図６に示すような両面／分割画面を表示部５１に表示させる。
【００５６】
両面／分割画面では、原稿の片面を読み取って片面印刷するキー１０３、原稿の片面を読み取って両面印刷するキー１０４、原稿の両面を読み取って片面印刷するキー１０５、原稿の両面を読み取って両面印刷するキー１０６、見開き原稿を読み取って片面印刷するキー１０７、見開き原稿を読み取って両面印刷するキー１０８等の設定キーが表示される。キー１０５又はキー１０６が選択されると、制御部６１は図７に示すように表示部５１の表示領域の中央部付近に高画質モードキー１０９と高速モードキー１１０のモード設定キーを表示させる（図９のステップＳ１１）。
【００５７】
そして、ユーザによって高画質モードキー１０９が押下されると（ステップＳ１４；高画質モード）、制御部６１は高画質モードキー１０９の表示を選択状態に切り換え、印刷カラーモードをフルカラーモードとしてフルカラーキー１９２を選択状態に切り換えて、領域１２１に「（フルカラー）」の文字を表示させる。更に制御部６１はＡＣＳをオフにし、自動カラーキー１９１及び白黒キー１９３が操作無効となるように表示を切り換える（ステップＳ１５）。
【００５８】
ここで、ユーザによって高画質モードキー１０９が押下されたということは、ユーザがコピーしようとしている原稿はカラー画像が描かれた原稿である可能性が高い。そして、ユーザが高画質モードキー１０９を押下した後、フルカラーキー１９２を押下してフルカラー印刷モードに切り換える可能性も高い。従って、高画質モードキー１０９が押下された時点で、制御部６１が印刷カラーモードをフルカラーモードに自動的に切り換えることによって、ユーザは少ない操作で印刷処理を行うことができる。また、ＡＣＳの機能を用いればカラー原稿は自動的にフルカラー原稿として判別されるが、原稿に描かれている画像の色彩状態によってはカラー原稿が白黒原稿と誤って判別され、白黒印刷が行われる可能性もある。そこで、ＡＣＳはオフとすることで、ＡＣＳ部６１１による判別処理の手間を省き、万が一発生しうる白黒／カラーの誤判別を防ぐことができる。更に自動カラーキー１９１及び白黒キー１９３の操作を受け付けない状態にすることで、ユーザの操作ミスを防ぎ、所望の印刷を確実に行わせることができる。ここで、自動カラーキー１９１及び白黒キー１９３の操作が不可であることをユーザが視認できるように、図８に示すように各キーは操作可能時に比べて薄く表示される。この他、表示部５１がカラー表示である場合は、操作可能時に比べて異なる色で表示させてもよいし、各キーを非表示にしてもよい。
【００５９】
図９に戻る。以上の設定を終えてユーザによってスタートキー５４が押下されると、制御部６１は原稿給紙部２１に対して原稿の取り込みを指示する信号を出力し、原稿給紙部２１が原稿トレイ２１１に載置された原稿を取り込む（ステップＳ１６）。そしてＣＣＤ２２９が原稿の表面を読み取り（ステップＳ１７）、原稿反転機構が原稿を表裏反転して再給紙する（ステップＳ１８）。続けてＣＣＤ２２９が原稿の裏面を読み取り（ステップＳ１９）、原稿は排紙トレイ２１５に排紙される（ステップＳ２０）。
【００６０】
次に制御部６１は画像処理部６４に対してＣＣＤ２２９によって取得された画像データの画像処理を行わせ、処理後の画像データに基づいた画像の印刷を記録部４０に行わせる（ステップＳ２１）。
【００６１】
また、ステップＳ１１において原稿の両面を読み取るキー以外のキー（キー１０３、１０４、１０７及び１０８）が押下されたら（ステップＳ１１；ＮＯ）、制御部６１は原稿給紙部２１に対して原稿の取り込みを指示する信号を出力し、原稿給紙部２１が原稿トレイ２１１に載置された原稿を取り込む（ステップＳ１２）。そしてＣＣＤ２２９が原稿の表面を読み取り（ステップＳ１３）、制御部６１はステップＳ２０へ処理を移行する。
【００６２】
更に、ステップＳ１４においてユーザによって高速モードキー１１０が押下された場合（ステップＳ１４；高速モード）、ＡＣＳや印刷カラーモードの設定状態は変化させず、ユーザによって任意に設定可能な状態のままとする。制御部６１は原稿給紙部２１に対して原稿の取り込みを指示する信号を出力し、原稿給紙部２１が原稿トレイ２１１に載置された原稿を取り込む（ステップＳ２２）。そしてＣＣＤ２２９が原稿の表面を読み取り、ＣＩＳ２３１が原稿の裏面を読み取る（ステップＳ２３）。そして制御部６１はステップＳ２０へ処理を移行する。
【００６３】
以上、説明したように、ＡＤＦを用いて原稿の両面を読み取る際に高画質モード（両面反転読取モード）を選択した場合、印刷カラーモードを自動的にフルカラーモードにすることにより、ユーザの操作を少なくすることができ、操作の煩雑さを改善することができる。更に、ＡＣＳをオフにすることで、ＡＣＳ部６１１による判別処理の手間を省くことができる。そして、万が一、カラー原稿が誤って白黒原稿と判別されることを防ぎ、確実にフルカラー印刷を行わせることができる。また、自動カラーキー１９１及び白黒キー１９３を操作無効とすることで、ユーザの操作ミスを防ぎ、所望の印刷を確実に行うことができる。
【００６４】
〔第２の実施の形態〕
第１の実施の形態では、自動カラーキー１９１、フルカラーキー１９２及び白黒キー１９３が表示部５１に表示され、ユーザによるタッチパネル操作によって選択／非選択が設定されていた。第２の実施の形態では、操作部５にハードキーを設置し、このハードキーを用いて各設定を操作する場合について説明する。尚、第２の実施の形態における複合機の構成及びコピー動作の処理の流れを示すフローチャートは第１の実施の形態において図１、３及び９に示したものと同様であるため、説明を省略する。
【００６５】
図１０は本実施の形態における操作部５００を示した図である。第１の実施の形態において示した操作部５と同じの構成については同じ符号を付し、異なる部分のみ説明する。操作部５００の正面右側には自動カラーボタン９１、フルカラーボタン９２及び白黒ボタン９３が配置されている。各ボタンには例えばＬＥＤ等の発光素子が内蔵或いは各ボタン周辺にそれぞれ配設されており、ＬＥＤの発光状態によってそのボタンの選択状態をユーザが視認できるようになっている。
【００６６】
複合機１のコピー機能が選択されているとき、制御部６１は図１１に示すような標準画面を表示部５１に表示させる。初期設定及び標準動作設定としてＡＣＳ部によって原稿の白黒／カラー判別が自動的に行われる設定となっているため、制御部６１は自動カラーボタン９１のＬＥＤを点灯状態にさせると共に、表示部５１の正面上部の領域１２１に「（自動カラー）」という文字を表示させる。
【００６７】
ユーザによって機能リストキー１０１が押下されると、制御部６１は図１２に示すような機能リスト画面を表示部５１に表示させる。更にユーザによって両面／分割キー１０２が押下されると、制御部６１は両面／分割画面を表示部５１に表示させる。ここで、原稿の両面を読み取って片面印刷するキー１０５又は原稿の両面を読み取って両面印刷するキー１０６が押下されたら、制御部６１は図１３に示すような画面を表示部５１に表示させる。
【００６８】
ここで、制御部６１は、表示部５１の表示領域の中央部付近に高画質モードキー１０９と高速モードキー１１０のモード設定キーを表示させる。そして、ユーザによって高画質モードキー１０９が押下されると、制御部６１は図１４に示すような画面を表示部５１に表示させる。具体的には、制御部６１は表示部５１に対して高画質モードキー１０９の表示を選択状態に切り換えさせ、印刷カラーモードをフルカラーモードに変更して領域１２１に「（フルカラー）」の文字を表示させると共に、印刷カラーモードを変更したことをユーザに伝達するメッセージ１２２を表示させる。そして、制御部６１は自動カラーボタン９１のＬＥＤ点灯をオフにし、フルカラーボタン９２のＬＥＤを点灯させる。
【００６９】
更に制御部６１はＡＣＳをオフにし、自動カラーボタン９１及び白黒ボタン９３が押下されても受け付けない設定とする。ユーザによって自動カラーボタン９１及び白黒ボタン９３が押下されたとき、制御部６１は図１５に示すようなメッセージ１２３を表示部５１に表示させ、高画質モード時は自動カラーボタン９１及び白黒ボタン９３は操作無効であることをユーザに報知する。
【００７０】
以上、説明したように、ＡＤＦを用いて原稿の両面を読み取る際に高画質モード（両面反転読取モード）を選択した場合、印刷カラーモードを自動的にフルカラーモードにすることにより、ユーザの操作を少なくすることができ、操作の煩雑さを改善することができる。更にＡＣＳをオフにすることで、ＡＣＳ部６１１による判別処理の手間を省くことができる。また、万が一、カラー原稿が誤って白黒原稿と判別されることを防ぎ、確実にフルカラー印刷を行わせることができる。そして、自動カラーボタン９１及び白黒ボタン９３を操作無効とすることで、ユーザの操作ミスを防ぎ、所望の印刷を確実に行うことができる。
【図面の簡単な説明】
【００７１】
【図１】複合機の内部構成を模式的に示した縦断面図。
【図２】第１の実施の形態における操作部の正面図。
【図３】複合機の電気的構成を示すブロック図。
【図４】第１の実施の形態におけるコピー動作時の標準画面。
【図５】第１の実施の形態における表示部の画面例。
【図６】第１の実施の形態における表示部の画面例。
【図７】第１の実施の形態における表示部の画面例。
【図８】第１の実施の形態における表示部の画面例。
【図９】原稿の両面をＡＤＦで読み取り、印刷する処理の流れを示したフローチャート。
【図１０】第２の実施の形態における操作部の正面図。
【図１１】第２の実施の形態におけるコピー動作時の標準画面。
【図１２】第２の実施の形態における表示部の画面例。
【図１３】第２の実施の形態における表示部の画面例。
【図１４】第２の実施の形態における表示部の画面例。
【図１５】第２の実施の形態における表示部の画面例。
【符号の説明】
【００７２】
１      複合機                        ３      装置本体
２      画像読取装置                  ５      操作部
２１    原稿給紙部                    ５１    表示部
２１１  原稿トレイ                    ５２    タッチパネル
２１２  給紙ローラ                    ５３    数字キー群
２１３  搬送ドラム                    ６１    制御部
２１４  排紙ローラ                    ６１１  ＡＣＳ部
２１５  排紙トレイ                    ６４    画像処理部
２１６  切替ガイド                    ４０    記録部
２１７  反転ローラ                    ６６    通信部
２１８  反転搬送路
２２    スキャナ部
２２１  プラテンガラス
２２２  光源
２２３  第１ミラー
２２４  第２ミラー
２２５  第３ミラー
２２８  結像レンズ
２２９  ＣＣＤ
２３０  読取窓
２３１  ＣＩＳ
【図１】
0004950845.tif 000002
【図２】
0004950845.tif 000003
【図３】
0004950845.tif 000004
【図４】
0004950845.tif 000005
【図５】
0004950845.tif 000006
【図６】
0004950845.tif 000007
【図７】
0004950845.tif 000008
【図９】
0004950845.tif 000009
【図１０】
0004950845.tif 000010
【図１１】
0004950845.tif 000011
【図１２】
0004950845.tif 000012
【図１３】
0004950845.tif 000013
【図１４】
0004950845.tif 000014
【図１５】
0004950845.tif 000015
【図８】
0004950845.tif 000016